(57)【要約】  【課題】  環境汚染の少ない、釣り場においてもその状況に応じて、手軽に作成することのできる疑似餌を提供する。  【解決手段】  アルギン酸ナトリウムを含む主粉体と、少なくとも食品用色素と魚油及び魚粉とを含む添加粉体とからなり、主粉体と添加粉体とを所定の割合で混合し、この混合粉体を水に添加して混練した後、型に流し込んで固形化することで疑似餌を形成する。【選択図】    なし【特許請求の範囲】
【請求項１】
アルギン酸ナトリウムを含む主粉体と、少なくとも食品用色素と魚油及び魚粉とを含む添加粉体とからなる魚釣り用疑似餌。
【請求項２】
主粉体と添加粉体との少なくとも一方に糖分が配合されている請求項１に記載した魚釣り用疑似餌。
【請求項３】
主粉体に固形化抑制剤としてのグリセリンと、反応遅延剤としてのピロリン酸ナトリウムが配合してある請求項１又は２に記載した魚釣り用疑似餌。
【請求項４】
アルギン酸ナトリウムを含む主粉体と、少なくとも食品用色素と魚油及び魚粉とを含む添加粉体とを所定割合で混合した後、この混合粉体を水に添加して混練し、この混練物を成形用型材に充填して固形化する魚釣り用疑似餌の製造方法。
【請求項５】
主粉体と添加粉体との少なくとも一方に糖分が配合してあるものを使用する請求項４に記載した魚釣り用疑似餌の製造方法。
【請求項６】
固形化抑制剤としてのグリセリンと、反応遅延剤としてのピロリン酸ナトリウムが配合してある主粉体を使用する請求項４又は５に記載した魚釣り用疑似餌の製造方法。
【請求項７】
アルギン酸ナトリウムを含む主粉体と、少なくとも食品用色素と魚油及び魚粉とを含む添加粉体と、成形用型材とで構成した魚釣り用疑似餌の製造キット。
【発明の詳細な説明】
【技術分野】
【０００１】
本発明は魚釣り用疑似餌、その製造方法及びその製造方法に使用できる製造キットに関し、特に、生分解性に優れた素材を用いて製造される、生餌を模したワーム等の魚釣用疑似餌とその製造方法及びその製造方法に使用できる製造キットに関する。
【背景技術】
【０００２】
従来、ルアー、ワームと称される虫などの自然の餌に形態を似せた疑似餌は、金属やプラスチックなどの素材を用いるのが普通である。これらは、保存性において優れた性能を発揮するが、その保存性が却って災いして、水中に放置された後も長年に亘ってその形態を保つため、ごみとなり、自然を汚染する要因となっている。
【０００３】
そこで、近年、エコロジー指向の観点から、プラスチック素材については、自然界の新陳代謝のサイクルにあうように、水中に放置した場合、水又は光に反応して分解し、水中に解けて消失する疑似餌が開発されている。しかし、プラスチック素材の場合、その自然分解には、年単位という長時間を要するという問題を有している。又、プラスチック素材で疑似餌を成形するものでは、その成形のためにプラスチック中に可塑剤が混入することを避けられないが、可塑剤は生物のホルモン作用に影響を与え、プラスチック素材の疑似餌を魚釣りに使用若しくは水中に放置すると可塑剤も水中に溶け出し、魚や鳥その他の生物に影響を与えるという問題を有している。
【０００４】
このような点から、近年、生分解性の良い素材で構成される疑似餌、例えば、たんぱく質架橋酵素により架橋されたたんぱく質と非水溶性多糖類を主成分とする疑似餌(特許文献１)や、ゲル化したカードランからなる疑似餌(特許文献２)等が提案されている。
【特許文献１】特開２００３−２５９７６７号公報
【特許文献２】特開２００３−２１００７５号公報
【発明の開示】
【発明が解決しようとする課題】
【０００５】
たんぱく質架橋酵素により架橋されたたんぱく質と非水溶性多糖類を主成分とする疑似餌も、ゲル化したカードランからなる疑似餌も、その形成時に加熱処理を必要とすることから、その成形が面倒であり、釣り場においてその状況に応じて疑似餌を調整することが難しいという難点が合った。
【０００６】
本発明は、このような点に着目してなされたもので、環境汚染の少ない、釣り場においてもその状況に応じて、手軽に作成することのできる疑似餌を提供できるようにすることを目的とする。
【課題を解決するための手段】
【０００７】
上述の目的を達成するために、請求項１に記載の本発明は、魚釣り用疑似餌をアルギン酸ナトリウムを含む主粉体と、少なくとも食品用色素と魚油及び魚粉とを含む添加粉体とで構成したことを特徴としており、請求項２に記載の本発明は、請求項１に記載した魚釣り用疑似餌において、主粉体と添加粉体との少なくとも一方に糖分が配合されていることを特徴とし、請求項３に記載の本発明は、請求項１又は２に記載した魚釣り用疑似餌において、主粉体に固形化抑制剤としてのグリセリンと、反応遅延剤としてのピロリン酸ナトリウムが配合してあることを特徴としている。
【０００８】
また、請求項４に記載の本発明は、魚釣り用疑似餌を製造するにあたり、アルギン酸ナトリウムを含む主粉体と、少なくとも食品用色素と魚油及び魚粉とを含む添加粉体とを所定の割合で混合した後、この混合粉体を水に添加して混練し、その混練物を成形用型材に充填して固形化することを特徴とし、請求項５に記載の本発明は、請求項４に記載した魚釣り用疑似餌の製造方法において、主粉体と添加粉体との少なくとも一方に糖分が配合してあるものを使用することを特徴とし、請求項６に記載の本発明は、請求項４又は５に記載した魚釣り用疑似餌の製造方法において、固形化抑制剤としてのグリセリンと、反応遅延剤としてのピロリン酸ナトリウムが配合してある主粉体を使用することを特徴としている。
【０００９】
さらに、請求項７に記載の本発明は、魚釣り用疑似餌の製造キットをアルギン酸ナトリウムを含む主粉体と、少なくとも食品用色素と魚油及び魚粉とを含む添加粉体と、成形用型材とで構成したことを特徴としている。
【発明の効果】
【００１０】
本発明は、アルギン酸ナトリウムを含む主粉体と、少なくとも食品用色素と魚油及び魚粉とを含む添加粉体とで魚釣り用疑似餌を構成しているので、海水中あるいは淡水中において生分解性がよく、環境汚染の問題がないうえ、原材料はすべて食品及び食品添加物として許認可されている物質を使用していることから、生態系にも悪影響を及ぼすことがない。さらに、主粉体と添加粉体とを水で混練し、その混練物を型に流し込むだけで魚釣り用疑似餌を形成することができるから、釣行前日あるいは釣り場に到着後でも短時間の内に魚釣り用疑似餌を形成することができるから、釣り場の状況に最適の疑似餌を造ることができる。
【発明を実施するための最良の形態】
【００１１】
以下、本発明を詳細に説明する。本発明に係る疑似餌は、主粉体(Ａ)と添加粉体(Ｂ)とで構成してあり、主粉体(Ａ)は全ての魚種に対応できるベースとなるもので、アルギン酸ナトリウムと固形化抑制剤と固化剤と反応遅延剤と糖分とを混合して構成してある。一方、添加粉体(Ｂ)は、対象魚種に対応できるように対象魚種に応じて構成されるもので、食品用色素と魚油及び魚粉とを含む混入粉体と糖分とを混合して構成してある。
【００１２】
主粉体(Ａ)を構成している固形化抑制剤は、高分子多糖類であるアルギン酸ナトリウムの溶解性を劣化させて、アルギン酸ナトリウムを水に溶かした際に継粉になるのを抑制するもので、例えばグリセリンが用いられる。また固化剤は、炭酸カルシウムや硫酸カルシウムなどのカルシウム塩であり、溶液中でアルギン酸ナトリウムと反応して、適度の硬さとぬめりを得る。
【００１３】
反応遅延剤は、アルギン酸ナトリウムの溶液中での反応を抑制するもので、ピロリン酸ナトリウムやエチレンジアミン四酢酸(ＥＤＴＡ)あるいは、ヘキサメタリン酸ナトリウム等が使用される。また、糖分としては、砂糖や蜂蜜を使用することができ、この糖分は魚の喰いに影響を与えることが知られている。また、水素指数を調整するために、炭酸ナトリウムも主粉体(Ａ)に添加してある。
【００１４】
一方、添加粉体(Ｂ)を構成している食品用色素としては、コチニール色素などの赤色系色素、くちなし黄色素などの黄色系色素、くちなし青色素などの青色系色素を使用している。また、魚油はぬめりを出して集魚力を高めるもので、イカ油なども使用することが可能である。また、魚粉は臭いを出して集魚力を高めるもので、エビ粉や海藻粉などを使用することができる。
【実施例】
【００１５】
前述の主粉体(Ａ)は、２０℃における粘度が３００〜６００ｍＰa・ｓ程度の範囲のアルギン酸ナトリウムを１８.１ｗ％、炭酸カルシウム及び硫酸カルシウムで構成した固化剤を２８.８ｗ％、ピロリン酸ナトリウムで構成した反応遅延剤を６.０ｗ％、グリセリン(固形化抑制剤)を1.２％、水素指数(ｐＨ)調整用の炭酸ナトリウム０.６ｗ％、残り糖分(砂糖)の比率で混合して形成してある。
ここで、アルギン酸ナトリウムの粘度が３００ｍＰa・ｓよりも低いと、固形化しにくく、また、アルギン酸ナトリウムの粘度が６００ｍＰa・ｓよりも高いと、練りにくくなり、いずれも作業性が低下することになる。
【００１６】
一方、添加粉体(Ｂ)は、色素を０.５ｗ％、魚油１.５ｗ％、魚粉１２.０ｗ％、残り糖分(砂糖)の比率で混合して構成してある。
【００１７】
そして、この主粉体(Ａ)と添加粉体(Ｂ)とを４：１の割合で混合し、混合粉体の５〜１５倍の水にこの混合粉体を添加して混練する。この混練した混練物を、疑似餌の型に流し込んで固化する。完成した疑似餌は、水分が蒸発しないように水中で保管する。
ここで、混合粉体を溶かす水の量が５倍よりも少ないと、混合粉体がすぐに固まり、型への流し込みが行えなくなり、作業性が低下する。また、混合粉体を溶かす水の量が１５倍よりも多くなると、固まるまでの時間が数十分にもなり、作業性が悪くなる。
【００１８】
前記配合の主粉体(Ａ)と添加粉体(Ｂ)とを４：１の割合で混合した混合粉体を８倍の水に投入して混練した場合には、２〜３分程度でトローとした粘性混練物となり、この混練物を魚形やワームの形に形成してある型の凹部に流し込んで約５分前後で適度な硬さになる。したがって、成型作業に要する時間は７〜８分前後であった。
【００１９】
主粉体(Ａ)での各成分の配合比率は、アルギン酸ナトリウムを１０〜２０ｗ％、炭酸カルシウム及び硫酸カルシウムで構成した固化剤を２５〜３３ｗ％、ピロリン酸ナトリウムで構成した反応遅延剤を５〜８ｗ％、グリセリン(固形化抑制剤)を1.２％、炭酸ナトリウム(ｐＨ調整剤)０.６ｗ％、残り糖分(砂糖)が適当である。
【００２０】
本発明は、主粉体(Ａ)と添加粉体(Ｂ)及び型材を袋や容器に一体に収容して疑似餌製造用キットとして流通させることができる。この場合、添加粉体は、対象魚に応じて魚油や魚粉を選択したものを収容する。また、色素も赤、青、黄色を分包してセット化しておくことが望ましい。さらに型材としては、予め魚形やワームを刻設したものであっても、カッターナイフや彫刻刀に代表される手動式切削具での切削加工が容易なケミカルウッドなどの切削性に優れた材質の平板であっても良い。